(57)【要約】【課題】携帯物品をどこにでも簡単確実に係止保持させることができ、その係止保持物に対する着脱操作が容易であり、また、携帯物品の使用時の妨げにならないクリップ及びこのクリップの収納に便利なクリップケースを提供すること。【解決手段】一方の一端を他方の一端又は途中にヒンジ部３を介して開閉可能に枢着され閉状態での対向面を挟持面とした第１及び第２の挟持片１，２と、前記第１及び第２の挟持片１，２の前記ヒンジ部３から他端側に離れた位置に対向して設置された対の磁気吸着部材４，５とを備え、前記第１及び第２の挟持片１，２は、閉状態において前記ヒンジ部３と前記磁気吸着部材４，５との間の対向面間にスキマ６が形成してある。【選択図】図１
2006095261.tif 000002
【特許請求の範囲】
【請求項１】
一方の一端を他方の一端又は途中にヒンジ部を介して開閉可能に枢着され閉状態での対向面を挟持面とした第１及び第２の挟持片と、前記第１及び第２の挟持片の前記ヒンジ部から他端側に離れた位置に対向して設置された対の磁気吸着部材とを備え、前記第１及び第２の挟持片は、閉状態において前記ヒンジ部と前記磁気吸着部材との間の対向面間にスキマが形成してあることを特徴とするクリップ。
【請求項２】
前記第１及び第２の挟持片は、前記スキマの一端側、即ち、前記ヒンジ部と反対端側の対向内面の一方又は双方に相手側対向面に向けて突出する突起部が設けてあることを特徴とする請求項１記載のクリップ。
【請求項３】
前記第１及び第２の挟持片は、前記スキマの形成範囲内における対向内面の一方又は双方に滑り止め部材が設けてあることを特徴とする請求項１又は２記載のクリップ。
【請求項４】
前記第１及び第２の挟持片は、前記ヒンジ部と反対側の端部において一方の挟持片が他方の挟持片よりも前記ヒンジ部と反対側の端部方向に突出していることを特徴とする請求項１〜３の何れかに記載のクリップ。
【請求項５】
前記第１及び第２の挟持片は、前記ヒンジ部と反対側の端縁の対向内面の一方又は双方が外面側に向けて対向間隔を広げる曲面乃至傾斜面としてあることを特徴とする請求項１〜４の何れかに記載のクリップ。
【請求項６】
前記ヒンジ部は、径方向に弾性的に拡縮変形可能なヒンジピンを使用して前記第１及び第２の挟持片の開閉動作に摩擦抵抗を付与してあることを特徴とする請求項１〜５の何れかに記載のクリップ。
【請求項７】
前記磁気吸着部材は、前記第１及び第２の挟持片の対向面に１〜複数個設置してあることを特徴とする請求項１〜６の何れかに記載のクリップ。
【請求項８】
前記第１及び第２の挟持片のうちの一方の挟持片は、少なくとも外面が化粧面とされており、他方の挟持片は携帯物品への取付部とされていることを特徴とする請求項１〜７の何れかに記載のクリップ。
【請求項９】
外面が化粧面とされた前記一方の挟持片は、携帯物品への取付部とされた前記他方の挟持片よりも広幅とされていることを特徴とする請求項８に記載のクリップ。
【請求項１０】
携帯物品への取付部とされる前記他方の挟持片は、外面を携帯物品の外面に直付け又は携帯物品の外面と一体化形成して取り付けてあることを特徴とする請求項８又は９に記載のクリップ。
【請求項１１】
携帯物品への取付部とされる前記他方の挟持片は、レール溝を有する溝側部材と該レール溝にスライド可能に係合するスライド突部を有する突部側部材とからなるスライド式ホルダーを介して携帯物品に着脱可能に取り付けられていることを特徴とする請求項８〜１０の何れかに記載のクリップ。
【請求項１２】
前記スライド式ホルダーの溝側部材と突部側部材との接触面の何れか一方には、スライド方向に沿って配列された複数個の位置決め用凹部が設けられ、他方には、該凹部に弾性変形して係脱可能とされた位置決め用凸部が設けられていることを特徴とする請求項１１に記載のクリップ。
【請求項１３】
前記他方の挟持片には、前記スライド式ホルダーのスライド突部又はレール溝の何れかが一体に形成してあることを特徴とする請求項１１又は１２に記載のクリップ。
【請求項１４】
前記第１及び第２の挟持片は、ヒンジ部を中心として少なくとも２７０度まで開放可能としてあることを特徴とする請求項１〜１３の何れかに記載のクリップ。
【請求項１５】
前記請求項１〜１４の何れかに記載の第１及び第２の挟持片のうちの一方の挟持片の外面側に、第３の挟持片を第２のヒンジ部を介して開閉可能に枢着し、これら第１及び第２の挟持片のヒンジ部と第２のヒンジ部とは逆方向端部側に配置し、該第２のヒンジ部から他端側に離れた位置における前記第３の挟持片と前記一対の挟持片の一方との対向面にも対の磁気吸着部材を設置したことを特徴とするクリップ。
【請求項１６】
前記請求項１〜１５の何れかに記載のクリップを、単独で、又は、前記請求項１１〜１３の何れかに記載のスライド式ホルダーとセットにして収納する収納部を備えていることを特徴とするクリップケース。
【請求項１７】
前記収納部の一端側外面に磁気吸着部材が取り付けられ、他端側内面にクリップのヒンジ側端部を係止する係止用フック部が形成されていることを特徴とする請求項１６に記載のクリップケース。
【請求項１８】
前記収納部の係止用フック部には、収納したクリップのヒンジ部を中心として当該クリップを少なくとも１８０度まで開放可能とするための切欠部が形成してあることを特徴とする請求項１６又は１７に記載のクリップケース。
【請求項１９】
前記収納部は開閉可能なカバーで被覆されていることを特徴とする請求項１６〜１８の何れかに記載のクリップケース。
【発明の詳細な説明】
【技術分野】
【０００１】
本発明は、携帯電話機等の携帯物品に取り付けて使用するクリップ及びクリップケースに関するものである。
【背景技術】
【０００２】
近時、携帯電話機の小型化と機能向上が進み、その普及は目覚ましく、多くの人々が外出時に携行して利用されている。この携帯電話機の携行に際し、この携帯電話機をどこにどのように収納装着するかが問題となる。
例えば、蓋等の閉鎖手段をもつカバン類に収納すると、脱落防止には優れているが、取り出しに不便であり、蓋等の閉鎖手段を持たない上部がオープンのカバンや衣服のポケット等に収納すると、取り出しには便利であるが、脱落の恐れがある。
そこで、ストラップにクリップ等の繋留手段を付加するもの（例えば、特許文献１〜４）や、携帯電話機自体に直接クリップを取り付けたもの（例えば、特許文献５〜７）が提案されている。
【特許文献１】特開２００３−１５３７２６号公報
【特許文献２】特開２０００−１８９２２７号公報
【特許文献３】実用新案登録第３０８４１９５号公報
【特許文献４】特開２００２−３３０８１５号公報
【特許文献５】特開２００３−１５３７２０号公報
【特許文献６】特開２００３−１８４８５０号公報
【特許文献７】特開２００４−１４７２６９号公報
【発明の開示】
【発明が解決しようとする課題】
【０００３】
特許文献１のものは、ポケットにクリップを挟持させておき、このクリップに連結具を設け、携帯電話機に一端を繋留したストラップの他端に被連結具を設け、この被連結具を前記ポケット側のクリップに設けた連結具に着脱可能に連結するようにしたもので、これであると、次のような問題がある。
例えば、胸ポケットに収納していた携帯電話機を使用するときは、前記連結具と被連結具の連結を解除して携帯電話機を取り出し、別の部分に収納しようとすると、その都度、クリップを付け替えなければならい。従って、携帯電話機をどこにでも直ちに繋留保持させることができない。
【０００４】
また、クリップは携帯電話機とストラップを介在して接続しているため、携帯電話機を安定して収納保持するポケットが必ず必要となり、例えば、ポケットのない部分に繋留すると、携帯電話機がぶらぶらと移動し、不安定となる。
特許文献２のものは、特許文献１の連結具部分が磁石とされたもので、前記特許文献１と同様な問題がある。
特許文献３のものは、携帯電話機に一端を繋留したストラップの他端にクリップを設けたもので、この場合では、携帯電話機を収納するポケットが必ず必要となり、ポケットのない場所に装着することができないし、また、携帯電話機の使用時、クリップがストラップの他端に付いたままでぶらぶらするため、邪魔になる。
【０００５】
特許文献４のものは、携帯電話機に磁性体板を貼り付け、携帯電話機に一端を繋留したストラップの他端に磁石を取り付けたもので、ポケットに携帯電話機を収納し、ストラップの他端の磁石をポケットの外側からポケット生地を挟んで携帯電話機の磁性体板に磁着させることにより携帯電話機をポケットに繋留させるようにしたものであるが、この場合も、携帯電話機を収納するポケットが必ず必要となり、ポケットのない場所に装着することができないし、また、携帯電話機の使用時、磁石がストラップの他端に付いたままでぶらぶらするため、邪魔になる。
【０００６】
特許文献５のものは、携帯電話機の下部を収納する凹部をもつホルダーと、このホルダーに取り付けられたクリップとからなり、携帯電話機の下部をホルダーの凹部に位置決め収納し、クリップの一部に設けた別部材のストッパー片の端部の係合片を携帯電話機の上部の穴に係合させることによって携帯電話機をホルダーに抜け止め保持させ、前記クリップを任意の部材や部位に挟んで携帯電話機を繋留保持させるようにしたものであるが、これであると、携帯電話機を収納するホルダーと、ストッパー片付きの複雑な構造のクリップとが必要となり、このホルダーは、予め、衣服の一部等にクリップで取り付けておく必要があり、別の場所に携帯電話機を収納する場合、その都度、ホルダーを目的の場所に付け替える必要があり、非常に煩わしい。また、ストッパー片による係合解除操作は、狭いスキマに指を入れて行わなければならないため、携帯電話機をホルダーから取り出すときの操作性に難点がある。
【０００７】
特許文献６及び７のものは、携帯電話機に直接クリップを取り付けてポケット等にバネ力で挟持保持させるようにしたもので、この場合は、取付場所がポケットに制約される訳ではないが、クリップの開き角度が小さく、常にバネの閉じ力が作用するため、ポケットから携帯電話機を出し入れする際、バネ力に抗してクリップを、終始、指などで開き状態に押圧操作し続ける必要があり、着脱に不便であった。また、クリップには、常にバネの閉じ力が作用しているため、クリップを任意の開き角度に起立保持して携帯電話機のスタンドとして机上やテーブル上に載置することはできなかった。
【０００８】
このように従来のクリップは、携帯物品の携行に十分満足できる機能を備えているとは言えなかった。
本発明は、従来のクリップの上記問題点に鑑みて鋭意研究・試作の結果、完成に至ったものであって、その目的とするところは、携帯物品をどこにでも簡単確実に係止保持させることができ、その係止保持物に対する着脱操作が容易であり、また、携帯物品の使用時の妨げにならないクリップとこのクリップの収納に便利なクリップケースを提供することである。
【課題を解決するための手段】
【０００９】
前記目的を達成するため、本発明のクリップは、一方の一端を他方の一端又は途中にヒンジ部を介して開閉可能に枢着され閉状態での対向面を挟持面とした第１及び第２の挟持片と、前記第１及び第２の挟持片の前記ヒンジ部から他端側に離れた位置に対向して設置された対の磁気吸着部材とを備え、前記第１及び第２の挟持片は、閉状態において前記ヒンジ部と前記磁気吸着部材との間の対向面間にスキマが形成してあることを特徴としている。
この構成によれば、第１及び第２の挟持片は、一端側においてヒンジ部によって開閉可能に枢着され、他端側の対の磁気吸着部材によって閉状態を保持するようにしてあるため、クリップ全体を薄く構成することができ、閉状態にある第１及び第２の挟持片のスキマに指を差し込むことによって対の磁気吸着部材を容易に引き離して開かせることができ、一旦開かせると開き角度を２７０度前後まで大きく開くことができ、バネクリップのような開き角度の制約が無く、しかも、開状態においてバネのような閉じ力が働かないため、指などで開状態に保持操作を継続し続ける必要が無く、ポケット等に対する着脱操作が容易となる。さらに、第１及び第２の挟持片は、閉状態においてヒンジ部と磁気吸着部材との間の対向面間にスキマが形成してあるため、ズボンのベルト、自動車のシートベルト、カバンやバッグのベルト、生地の厚み部分等をスキマ内に包み込んで挟持させることができ、対の磁気吸着部材の対向面同士を直接密着させ、或いは生地の薄い部分を挟んで挟持させることができ、強固な磁気吸着力で確実に挟持させることができる。この場合、薄い生地だけでなく、例えば、カーテンやカレンダー等の薄いシート状物に挟持させることもできる。また、第１及び第２の挟持片は、ある程度の弾力性を有しているため、厚みが前記スキマよりも大きいベルトや生地を挟持する際、両挟持片が外側に膨らむように弾性変形して具合よく挟持させることができる。
【００１０】
また、前記第１及び第２の挟持片は、前記スキマの一端側、即ち、前記ヒンジ部と反対端側の対向内面の一方又は双方に相手側対向面に向けて突出する突起部が設けてあることを特徴としている。
この構成によれば、第１及び第２の挟持片の対向面間のスキマ内に包み込んで挟持させたベルト等を突起部によって抜け止め保持させることができ、脱落防止作用を一層向上させることができる。
また、前記第１及び第２の挟持片は、前記スキマの形成範囲内における対向内面の一方又は双方に滑り止め部材が設けてあることを特徴としている。
【００１１】
この構成によれば、第１及び第２の挟持片の対向面間のスキマ内で滑り止め部材によりベルト等をその両面から広い接触面積で密着して自由移動を規制して安定した状態で確実に挟持させることができる。特に、スキマよりも薄いベルトや生地に対してもそれらの両面に滑り止め部材を弾性的に密着させて安定した状態で挟持させることができる。
また、前記第１及び第２の挟持片は、前記ヒンジ部と反対側の端部において一方の挟持片が他方の挟持片よりも前記ヒンジ部と反対側の端部方向に突出していることを特徴としている。
【００１２】
この構成によれば、閉状態の第１及び第２の挟持片を開操作するとき、ヒンジ部と反対側の端部方向に突出している方の挟持片の端部を手（指）がかりとして指を差し込んで開くことができ、開操作を一層容易とできる。
また、前記第１及び第２の挟持片は、前記ヒンジ部と反対側の端縁の対向内面の一方又は双方が外面側に向けて対向間隔を広げる曲面乃至傾斜面としてあることを特徴としている。
この構成によれば、閉状態の第１及び第２の挟持片を開操作するとき、第１及び第２の挟持片のヒンジ部と反対側の端縁間に指を差し込む際、この端縁の対向内面の一方又は双方が外面側に向けて対向間隔を広げる曲面乃至傾斜面としてあることによって、指を容易に差し込むことができ、開操作を一層容易とできる。
【００１３】
また、前記ヒンジ部は、径方向に弾性的に拡縮変形可能なヒンジピンを使用して前記第１及び第２の挟持片の開閉動作に摩擦抵抗を付与してあることを特徴としている。
この構成によれば、ヒンジピンの摩擦抵抗によって、第１及び第２の挟持片を任意の開き角度に保持させることができ、例えば、９０度或いは２７０度の開き角度にして携帯物品の支持スタンドやディスプレイ用スタンドとして利用することができ、また、１８０度の開き角度にして、対の磁気吸着部材の両方の磁気吸着面を冷蔵庫や家具等の磁性体部分に強固に吸着保持させることができる。
【００１４】
また、前記磁気吸着部材は、前記第１及び第２の挟持片の対向面に１〜複数個設置してあることを特徴としている。
この構成によれば、第１及び第２の挟持片の閉じ力を増大することができ、また、冷蔵庫や家具等の磁性体部分への吸着保持力も増大することができる。
また、前記第１及び第２の挟持片のうちの一方の挟持片は、少なくとも外面が化粧面とされており、他方の挟持片は携帯物品への取付部とされていることを特徴としている。
この構成によれば、一方の挟持片の外面を各種の色彩で着色して化粧面とし、さらにこの化粧面に種々の形状、模様、これらの組み合わせからなる装飾、会社等のロゴマーク、キャラクター等の意匠を施すことができ、挟持片の形状自体も種々の形状としたり、或いは、種々の形状としたシールやワッペン等の別物を前記挟持片の外面に貼り付けて、各種の用途に応じた多様な意匠を施して個々のクリップ間での個性化を図ることができ、また、例えば、自動車会社のプレミアムグッズとしての用途にも展開することが可能となる。
【００１５】
また、外面が化粧面とされた前記一方の挟持片は、携帯物品への取付部とされた前記他方の挟持片よりも広幅とされていることを特徴としている。
この構成によれば、携帯物品への取付部とされた挟持片を化粧面とされた挟持片で覆い隠すことができてクリップの外観体裁を向上させることができる。
また、携帯物品への取付部とされる前記他方の挟持片は、外面を携帯物品の外面に直付け又は携帯物品の外面と一体化形成して取り付けてあることを特徴としている。
この構成によれば、携帯物品とクリップとを一体物として取り扱うことができ、クリップが薄いことにより違和感を少なくし、或いは、クリップをさらに薄くして違和感をさらに少なくすることができ、携帯物品の取り扱い性を損なうことがない。
【００１６】
また、携帯物品への取付部とされる前記他方の挟持片は、レール溝を有する溝側部材と該レール溝にスライド可能に係合するスライド突部を有する突部側部材とからなるスライド式ホルダーを介して携帯物品に着脱可能に取り付けてあることを特徴としている。
この構成によれば、クリップのヒンジ部の位置を上下反転させて携帯物品に装着することが可能となり、携帯物品の取付箇所等に適した状態にクリップの差し込み方向を変更して使用することができ、また、携帯物品へのクリップの取付位置をスライド方向に自由に変更調節して最適位置で使用することができる。なお、スライド式ホルダーの溝側部材と突部側部材とには、携帯物品とクリップとに接着するための両面接着シートや粘着シートを設けて反復剥離接着可能としたり、ネジ止めしたり、或いは、永久固着可能としてもよい。
【００１７】
また、前記スライド式ホルダーの溝側部材と突部側部材との接触面の一方には、スライド方向に沿って配列された複数個の位置決め用凹部が設けられ、他方には、該凹部に弾性変形して係脱可能とされた位置決め用凸部が設けられていることを特徴としている。
この構成によれば、携帯物品へのクリップの取付位置をスライド方向に自由に変更調節してその位置で携帯物品とクリップとを確実に位置決め固定させることができる。
また、前記他方の挟持片には、前記スライド式ホルダーのスライド突部又はレール溝の何れかが一体に形成してあることを特徴としている。
【００１８】
この構成によれば、スライド式ホルダーの一方の部材をクリップの挟持片にて兼用させることができ、そのための固着手段も省略できるとともに、携帯物品とクリップとの間に介在せしめられるスライド式ホルダーの厚みを薄くすることができる。
また、前記第１及び第２の挟持片は、ヒンジ部を中心として少なくとも２７０度まで開放可能としてあることを特徴としている。
この構成によれば、クリップを携帯物品の支持スタンドとして０度〜２７０度までの範囲内の任意の角度で起立支持させることができる。
【００１９】
また、本発明のクリップは、前記の何れかに記載の第１及び第２の挟持片のうちの一方の挟持片の外面側に、第３の挟持片を第２のヒンジ部を介して開閉可能に枢着し、これら第１及び第２の挟持片のヒンジ部と第２のヒンジ部とは逆方向端部側に配置し、該第２のヒンジ部から他端側に離れた位置における前記第３の挟持片と前記一対の挟持片の一方との対向面にも対の磁気吸着部材を設置したことを特徴としている。
この構成によれば、第１と第２の挟持片によるクリップの差し込み方向と第２と第３の挟持片によるクリップの差し込み方向が上下逆方向となり、携帯物品をバンド等に上下何れの方向からでも差し込むことができる。
【００２０】
また、前記クリップの収納に便利な本発明のクリップケースは、前記何れかに記載のクリップを、単独で、又は、前記何れかに記載のスライド式ホルダーとセットにして収納する収納部を備えていることを特徴としている。
この構成によれば、携帯物品の付属部品乃至オプション部品としてのクリップを単独で、又は、スライド式ホルダーとセットとして包装して流通・販売・取引することができる。なお、スライド式ホルダーには、携帯物品に、或いはこれとクリップとに反復剥離接着可能とするための両面接着シートや粘着シートを設けたり、着脱可能とするための止めネジを設けたり、或いは、永久固着可能とするための接着剤を設けておくのが好ましい。
【００２１】
また、前記収納部の一端側外面に磁気吸着部材が取り付けられ、他端側内面にクリップのヒンジ側端部を係止する係止用フック部が形成されていることを特徴としている。
この構成によれば、クリップをクリップケースに磁気吸着作用とフック部への物理的係止作用とで一体的に収納保持させることができ、このクリップケースを携帯物品の支持ラック又は支持スタンドとして使用することができる。従って、クリップケースを、例えば、家屋室内の柱や壁面、或いは、自動車運転席の前のダッシュボードの上面や縦方向面、天井面或いは側壁面等に固着して携帯物品を収納保持させることができ、特に、自動車の走行振動やカーブ路面での遠心力、発進・停止時等の衝撃力で移動、脱落することを防止することができ、安全運転に寄与することもできる。
【００２２】
また、前記収納部の係止用フック部には、収納したクリップのヒンジ部を中心として当該クリップを少なくとも１８０度まで開放可能とするための切欠部が形成してあることを特徴としている。
この構成によれば、クリップの化粧面側の挟持片をクリップケース内に収納した状態のままで携帯物品側の挟持片を１８０度まで開放させることができ、これによって、クリップケースを水平面に取り付けて使用する場合、携帯物品を垂直状態に起立させた状態で収納保持させることができて便利である。
【００２３】
また、前記収納部は開閉可能なカバーで被覆されていることを特徴としている。この構成によれば、クリップケースに収納されたクリップやスライド式ホルダーがカバーによって保護されるため、携帯物品の付属部品として流通・販売・取引される過程での脱落を防止することができる。なお、カバーは、透明乃至半透明樹脂で構成することにより、クリップケース内のクリップを外部から目視することができる。
【発明の効果】
【００２４】
本発明によれば、携帯物品をどこにでも簡単確実に係止保持させることができ、その係止保持物に対する着脱操作が容易であり、また、携帯物品の使用時の妨げにならないクリップ及びこのクリップの収納に便利なクリップケースを提供することができる。
【発明を実施するための最良の形態】
【００２５】
以下、本発明の実施の形態を図面に基づいて説明する。
本発明のクリップ１０は、図１（Ａ）（Ｂ）及び図２（Ａ）（Ｂ）に示すように、第１の挟持片１と第２の挟持片２とを一端においてヒンジ部３で開閉可能に枢着し、他端側に磁気吸着部材４，５を対向して設けている。
第１及び第２の挟持片１，２は、略長方形の平板状をなし、長手方向側の一端にヒンジ部３が形成されている。このヒンジ部３は、第１の挟持片１と第２の挟持片２とに略円形ボス部１ａ、２ａを短辺方向に分割して形成しており、図示例では、第１の挟持片１のボス部１ａが短辺方向の両側となり、第２の挟持片２のボス部２ａが短辺方向の中央部となるように配置形成されている。この第１及び第２の挟持片１，２は、プラスチック材料で構成されているが、他の材料で構成してもよい。また、ヒンジ部３の形状も図示例に限らず、他の形状としてもよい。例えば、ヒンジ部３は、第１及び第２の挟持片１，２の一方の途中に形成して、この部分に他方の一端を開閉可能に枢着してもよい。
【００２６】
ヒンジ部３は、前記略円形ボス部１ａ、２ａの中心部に前記短辺方向にヒンジピン３ａを挿通して開閉可能に枢着している。このヒンジピン３ａは、径方向に弾性的に拡縮変形可能なロールピン又は断面Ｃ型の割ピンが使用されており、前記両ボス部１ａ、２ａのピン穴に対して縮径変形させて挿入し、挿入後、拡径復元させて該ピン穴に圧着させ、自己保持させている。この構成により、第１及び第２の挟持片１，２は、開閉動作に摩擦抵抗が付与され、任意の開き角度に自己保持可能とされている。
磁気吸着部材４，５は、第１及び第２の挟持片１，２の長手方向他端側、即ち、前記ヒンジ部３から他端側に離れた位置に対向して設置されている。磁気吸着部材４，５の設置部には、磁気吸着部材４，５の周囲を取り巻く環状突部１ｂ、２ｂが形成されており、この環状突部１ｂ、２ｂ内に磁気吸着部材４，５がその厚みの約半分程度を埋め込み状態で取り付けられている。この取り付けは、接着剤で接着してもよく、プラスチック成型時に埋め込み成型させてもよい。埋め込み深さは、深くするほど、また、環状突部１ｂ、２ｂの径方向厚みを大きくするほど磁気吸着部材４，５の接着強度（固着強度）を大きくすることができる。
【００２７】
磁気吸着部材４，５は、両方ともに永久磁石とするのが好ましいが、一方だけ永久磁石とし、他方を鉄等の磁性体ブロック又は板で構成してもよい。この永久磁石としては、フェライト系やアルニコ系の他、ネオジュウム、サマリウムコバルト等を含む希土類系のものの中から何れを選択して用いてもよいが、希土類系磁石は磁気吸着力が最も強いので、これを利用するのが好ましい。また、磁気吸着部材４，５は、第１及び第２の挟持片１，２に１個ずつ対向して設置した場合を例示しているが、２個以上の複数個を対にして設置してもよい。磁気吸着部材４，５の形状は、円盤形状とした場合を例示しているが、これに限らず、立方体や直方体その他の形状とすることができ、但し、その対向面については、平坦面とするのが好ましい。
【００２８】
上記磁気吸着部材４，５の設置位置と前記ヒンジ部３との間の第１及び第２の挟持片１，２の閉状態の対向面は略平行とされ、これらの対向面間には、ベルトや生地等の被挟持物を収容する略平行なスキマ６が形成してある。このスキマ６は、第１及び第２の挟持片１，２の長手方向にほぼ平行に形成されており、その寸法は適宜設定可能である。
上記スキマ６の形成範囲内における第１及び第２の挟持片１，２の対向内面の一方又は双方には、スポンジ、ゴム等の滑り止め部材７が接着剤等で固着してある。この滑り止め部材７は、ベルトや生地等の被挟持物に対する摩擦抵抗機能を発揮させるためのみならず、弾性変形して被挟持物の様々な厚さに密着適合させる厚み調節機能も発揮させるものであることが好ましい。例えば、図３に示す如く、被挟持物８を弾性的に押圧して挟持させるものである。
【００２９】
第１及び第２の挟持片１，２の前記スキマ６の一端側、即ち、前記ヒンジ部３と反対端側の対向内面の一方に相手側対向面に向けて突出する突起部１ｃが設けてある。この突起部１ｃは、図示例では、第１の挟持片１の短辺方向両端付近に一体に形成した場合を示しているが、その設置位置は、磁気吸着部材４，５の両側等としてもよい。この突起部１ｃは、第２の挟持片２にも対向して設置してもよい。いずれにしても、この突起部１ｃは、第１及び第２の挟持片１，２の長手方向におけるヒンジ部３に近い側の端縁１ｃ’の位置が、磁気吸着部材４，５の端縁位置とほぼ同一位置とされ、スキマ６内に挟持される被挟持物８の抜け止めを行わせるために設けるもので、前記端縁１ｃ’が第１及び第２の挟持片１，２の対向面に略直角に形成されることが好ましい。
【００３０】
また、第１及び第２の挟持片１，２は、ヒンジ部３と反対側の端部において、一方の挟持片１が他方の挟持片２よりもヒンジ部３と反対側の端部方向に突出させてある。この構成は、閉状態にある第１及び第２の挟持片１，２を開操作するときに、指を差し込んで開きやすくするためであって、その場合、図４（Ａ）に示すように、短い方の挟持片２を携帯物品２０に取り付けることが必要である。
また、第１及び第２の挟持片１，２は、前記ヒンジ部３と反対側の端縁の対向内面の一方又は双方が外面側に向けて対向間隔を広げる曲面乃至傾斜面１ｄ、２ｄとしてある。このように構成しておくことによって、閉状態の第１及び第２の挟持片１，２を開操作する際、前記曲面乃至傾斜面１ｄ、２ｄが指の挿入案内面となり、指を容易に挿入することができて、開操作が容易となる。
【００３１】
第１及び第２の挟持片１，２は、図４（Ａ）に示すように、一方の挟持片２の外面を携帯物品２０の外面に両面接着テープや接着剤等を介して直付けしたり、又は、一方の挟持片２を携帯物品２０の外面と一体化形成（図示省略）して取り付けてもよい。図示例は、前者の取付例を例示しており、携帯物品２０として携帯電話機を例示している。後者の取付構成を採用する場合には、クリップ１０の厚みが前者よりも薄くできる。
また、第１及び第２の挟持片１，２は、図５（Ａ）に示すように、一方の挟持片２を携帯物品２０に直付けされたホルダー９に着脱可能に取り付けるようにしてもよい。この場合、ホルダー９は、蟻溝９ａを形成し、この蟻溝９ａにスライド係合する蟻突起２ｅを前記一方の挟持片２に形成しておくものである。なお、蟻溝９ａと蟻突起２ｅとの何れか一方のスライド端部にストッパーを形成して係合端を規制させるものである。
【００３２】
上記ホルダー９は、蟻溝９ａに限らず、図５（Ｂ）（Ｃ）に示すような溝形状９ｂ、９ｃとしてもよい。図５（Ｃ）は、薄鋼板等の金属板で構成して両側をカール形状に巻き込み加工して溝９ｃを形成した場合を例示している。
また、上記ホルダー９は、図示を省略したが、携帯物品２０の外面に一体化形成してもよい。
上記のようにホルダー９を介して第１及び第２の挟持片１，２の一方を携帯物品２０に取り付けると、携帯物品２０に対する本発明のクリップ１０の取り付けの向きを変更することができ、これによって、被挟持物８に対する携帯物品２０の差し込みの向きを上下逆方向に変更することができる。
【００３３】
また、本発明のクリップ１０は、図６に示すように、第１及び第２の挟持片１，２のうちの一方の挟持片１の外面側に、第３の挟持片１１をヒンジ部１２（第２のヒンジ部）の位置を前記ヒンジ部３とは逆関係位置にして開閉可能に枢着し、該第２のヒンジ部１２から他端側に離れた位置における前記第３の挟持片１１と前記一対の挟持片１，２の前記一方の挟持片１との対向面にも対の磁気吸着部材１３，１４を設置して実施してもよい。この実施形態の場合には、ホルダー９を使用しなくても、携帯物品２０を被挟持物８の上下何れの向きからでも差し込み装着することができる。
【００３４】
本発明のクリップの実施形態の構成は、以上の通りであって、次に、その使用形態例を図４、図７及び図８（Ａ）（Ｂ）を参照しつつ説明する。
本発明のクリップ１０を携帯物品２０に、図４（Ａ）の向きに取り付けると、同図（Ｂ）に示すように、第１及び第２の挟持片１，２を若干開いた状態としてヒンジピン３ａによる開閉摩擦抵抗で自己保持させることにより、携帯物品２０を机上等に起立支持するスタンドとしても使用でき、勿論、図７の上部に示すように第１及び第２の挟持片１，２を開いた状態で上衣の胸ポケット８ａに挿入して閉じることにより、携帯物品２０を胸ポケット８ａに挟持させることができる。この場合、本発明のクリップ１０は、対の磁気吸着部材４，５の磁気吸着力によって強い挟持力を有している上、突起部１ｃによる抜け止め作用も働くため、携帯物品２０をポケット内に収納する必要が無くポケット外に出した状態でポケット部に係止挟持させることができる。そのため、図７の中央部や下部に示すように、ベルト８ｂ或いはスカートの裾部分８ｃ、その他、図８（Ａ）のカバンのベルト８ｄ、又は、図８（Ｂ）の自動車のシートベルト８ｅ等の被挟持物８に挿入挟持させることができる。
【００３５】
また、クリップ１０を前記とは逆向きにして携帯物品２０に取り付けると、図４（Ｃ）に示すように、第１及び第２の挟持片１，２を略９０度に開いた状態とすることにより、携帯物品２０を机上等に起立支持するスタンドしても使用することができ、勿論、前記と同様に図７や図８（Ａ）（Ｂ）のような被挟持物８に挿入挟持させることができる。
被挟持物８から携帯物品２０を外す場合には、図７に矢印で示すように第１及び第２の挟持片１，２の間に指を差し込みながら携帯物品２０を外側に引っ張ると、容易に開放させることができ、後は上又は下方向に引き抜けばよい。
【００３６】
被挟持物８は、上着の襟や半袖の袖裾、肩部、ズボンのサイドポケットや後ポケット、カーテン、カレンダー等のシート状物など種々のものが対象とでき、いわゆる、どこにでも挿入挟持させることができる。特に、本発明のクリップ１０は、被挟持物８側に、予め、何も取り付ける必要がなく、携帯物品２０を収納するポケットも不要であるため、取付位置を自由に変更してどこにでも取り付けることができる。
なお、携帯物品２０は、ポケット２１に収納してもよいことは勿論であって、その際、ポケット２１の表側にくる挟持片１又は２には、図９（Ｄ）に示すような装飾模様・形状２２を一体的に形成したり、別体のものを種々後付けしてもよい。この装飾模様・形状２２は、種々の意匠やデザインを採用してよいもので、例えば、幾何学模様・形状、花等の植物の模様・形状、魚類、昆虫類、鳥類、その他の動物類の模様・形状、山、川等の自然景観、自動車、船、飛行機等の乗り物の模様・形状、その他、各種のキャラクター模様・形状等が挙げられる。
【００３７】
また、本発明のクリップ１０は、第１及び第２の挟持片１，２を１８０度開放させて、対の磁気吸着部材４，５の両方を使用して携帯物品２０を冷蔵庫や家具等の磁性体部分に磁気吸着力で吸着させて保持させることができる。
また、本発明のクリップ１０は、第１及び第２の挟持片１，２を閉じた状態のままでも磁気吸着部材４，５が使用できるため、携帯物品２０を冷蔵庫や家具等の磁性体部分に磁気吸着力で吸着させて保持させることができる。この場合、携帯物品２０を取り付けていない方の挟持片１の外面には、薄い滑り止めシート部材を貼着しておくことが好ましい。
【００３８】
また、本発明のクリップ１０は、携帯物品２０に回動自在に取り付けてもよい。
また、本発明のクリップ１０は、スキマ６の形状を側面視で略長方形とした場合を例示しているが、これ以外の形状、例えば、図９（Ｅ）に示すように、半円形としてもよく、その他、図示は省略したが円形、楕円形、三角形、菱形、その他の形状としてもよく、また、被挟持物８の形状に略合致する形状としてもよい。
また、本発明のクリップ１０は、図９（Ａ）に示すように、第２の挟持片２を長手方向に２つ分一体に延長形成し、その中央部にヒンジ部３を設けておき、この第２の挟持片２に対して第１の挟持片１と第３の挟持片１１とを中央部のヒンジ部３の両側で対称的に開閉可能に枢着し、第１の挟持片１と第２の挟持片２との間、及び、第３の挟持片１１と第２の挟持片２との間に対の磁気吸着部材４，５及び１３，１４を対向設置し、これらヒンジ部３と磁気吸着部材４，５及び１３，１４の間にスキマ６，６をそれぞれ形成させてダブルクリップ構造としてもよい。この場合における磁気吸着部材４，５及び１３，１４の設置位置は、第２の挟持片２の両端付近とされ、その設置構造は前記実施例と同様とされる。また、この場合における第１の挟持片１と第３の挟持片１１とは、第２の挟持片２の端部より長く突出させておくのが好ましい。さらに、第１及び第２の挟持片１，２と、第３及び第２の挟持片１１，２とは、前記ヒンジ部３と反対側の端縁の対向内面の一方又は双方が外面側に向けて対向間隔を広げる曲面乃至傾斜面としてあるのが好ましい。また、第２の挟持片２の両端部外面には、ゴム等の滑り止め部材１５を貼着しておき、また、ビス穴１６を適宜位置に形成しておき、図９（Ｂ）に示すように、自動車１７その他の取付面に磁気吸着力で吸着させたり、ビス止め固定させるようにしてもよい。この場合、図９（Ｂ）は、自動車１７のルーフパネル上面に釣り竿１８を本発明のクリップ１０を２個使用してそれぞれのクリップ１０のスキマ６に釣り竿１８の長手方向２カ所を挟持させるようにした場合を例示しており、スキマ６の内面形状は、略円形とし、この内面には、スポンジ等の滑り止め部材（図示省略）を設けておくのが好ましい。また、ダブルクリップ構造とした場合、スキマ６の形状は、図９（Ｃ）に示すように、異なる形状とし、それぞれ別の形状の部材を挟持させるようにしてもよい。
【００３９】
以上説明したように、本発明のクリップ１０は、携帯電話機の他、トランシーバー、携帯情報端末器、デジタルカメラ、携帯ラジオ、携帯録音・再生器等の携帯機器、ポーチなどの小型バッグ類や水筒、アウトドア小物類等の携帯物品に取り付けて使用することができる。また、本発明のクリップ１０は、釣り竿、その他の物品を自動車その他の取付対象物に着脱可能に取り付ける場合に利用することもできる。さらに、作業現場などで作業者が使用する作業用の各種工具類に本発明のクリップを取り付けて使用しても良い。
また、本発明のクリップ１０は、携帯物品２０と一体化した形態で取引販売することができることは勿論であるが、それ以外に、クリップ１０を単独で販売することができる。その場合、クリップ１０と両面接着テープや接着剤とセットとして、又は、ホルダー９を含めたセットとして、その使用方法の説明書入りで販売し、購入者が携帯電話機などの対象物に接着剤等で取り付けて使用できるようにすることもできる。
【００４０】
この場合に好適なクリップと、スライド式ホルダーと、クリップケースの構造について次に説明する。
図１０及び図１１（Ａ）〜（Ｄ）は、クリップ１０の説明図であって、前記第１及び第２の挟持片１，２のうちの一方の挟持片１は、少なくとも外面が化粧面１ｊとされており、他方の挟持片２は携帯物品２０への取付部とされている。
上記一方の挟持片１の外面を各種の色彩で着色して化粧面１ｊとし、さらにこの化粧面１ｊに種々の形状、模様、これらの組み合わせからなる装飾、会社等のロゴマーク、キャラクター等の意匠を施すことができ、挟持片１の形状自体も種々の形状としたり、或いは、種々の形状としたシールやワッペン等の別物を前記挟持片１の外面に貼り付けてもよい。
【００４１】
また、外面が化粧面１ｊとされた前記一方の挟持片１は、携帯物品２０への取付部とされた前記他方の挟持片２よりも広幅とされている。この構成によれば、携帯物品２０への取付部とされた挟持片２を化粧面１ｊとされた挟持片１で覆い隠すことができてクリップの外観体裁を向上させることができる。
また、携帯物品２０への取付部とされる前記他方の挟持片２は、図１２（Ａ）〜（Ｃ）に示すレール溝９ｄを有する溝側部材９ｅと該レール溝９ｄにスライド可能に係合するスライド突部（図示省略）を有する突部側部材（図示省略）とからなるスライド式ホルダー９’を介して前記携帯物品２０に着脱可能に取り付けるようにしている。なお、突部側部材は、図１０、図１１に示すクリップ１０においては、携帯物品２０への取付部とされる挟持片２の幅方向両側縁にスライド突部２ｇを直接形成している。この構成によれば、前記クリップ１０のヒンジ部３の位置を上下反転させて携帯物品２０に装着することが可能となり、携帯物品２０の取付箇所等に適した状態にクリップ１０の差し込み方向を変更して使用することができ、また、携帯物品２０へのクリップ１０の取付位置をスライド方向に自由に変更調節して最適位置で使用することができる。なお、スライド式ホルダー９’の溝側部材９ｅには、携帯物品２０とクリップ１０とに接着するための両面接着シートや粘着シート９ｆを設けて反復剥離接着可能としている。なお、前記シート９ｆには、離型紙９ｇが剥離可能に接着させてある。上記シート９ｆの代わりに、ネジ止め構造としたり、或いは、永久固着可能としてもよい。
【００４２】
前記スライド式ホルダー９’の溝側部材９ｅと前記他方の挟持片２との接触面の一方には、スライド方向に沿って配列された複数個の位置決め用凹部２ｈ（図１１（Ｄ）参照）が設けられ、他方には、該凹部２ｈに弾性変形して係脱可能とされた位置決め用凸部９ｈ（図１１参照）が設けられている。位置決め用凸部９ｈは、溝側部材９ｅの肉厚を部分的に薄くして薄肉部９ｉを形成し、さらに、両側にスリット状の切り欠き９ｊを設けて弾性変形を容易にしている。
図１０、図１１に示す第１及び第２の挟持片１，２は、ヒンジ部３を中心として少なくとも２７０度まで開放可能としてある。この構成によれば、クリップ１０を携帯物品２０の支持スタンドとして０度〜２７０度までの範囲内の任意の角度で起立支持させることができる。
【００４３】
次に、前記クリップ１０の収納に便利な本発明のクリップケース３０は、図１３（Ａ）〜（Ｃ）に示すように、前記クリップ１０を、スライド式ホルダー９’とセットにして収納するために上面が開口した浅底の略長方形箱状をなす収納部３０ａを備えている。この構成によれば、携帯物品２０の付属部品乃至オプション部品としてのクリップ１０を単独で、又は、スライド式ホルダー９’とセットとして包装して流通・販売・取引することができる。
前記クリップケース３０は、収納部３０ａの一端側外面に磁気吸着部材３１が取り付けられ、他端側内面にクリップ１０のヒンジ側３端部を係止する係止用フック部３０ｂが形成されている。この構成によれば、クリップ１０をクリップケース３０に相互の磁気吸着部材４，３１による磁気吸着作用とフック部３０ｂへの物理的係止作用とで一体的に収納保持させることができ、このクリップケース３０を携帯物品２０の支持ラック又は支持スタンドとして使用することができる。従って、クリップケース３０を、例えば、家屋室内の柱や壁面、或いは、自動車運転席の前のダッシュボードの上面や縦方向面、天井面或いは側壁面等に固着して携帯物品２０を収納保持させることができ、特に、自動車の走行振動やカーブ路面での遠心力、発進・停止時等の衝撃力で移動、脱落することを防止することができ、安全運転に寄与することもできる。なお、クリップケース３０の裏面には、両面接着シート又は粘着シート３０ｃが剥離紙（図示省略）で表面を被覆した状態で設けられている。
【００４４】
また、前記収納部３０ａの係止用フック部３０ｂには、収納したクリップ１０のヒンジ部３を中心として当該クリップ１０を少なくとも１８０度まで開放可能とするための切欠部３０ｄが形成してある。この切欠部３０ｃは、外面を化粧面１ｊとした一方の挟持片１よりも幅狭とした他方の挟持片２のボス部２ａ（ヒンジ部３の幅方向中央部）の幅と略同一の幅寸法で切り欠かれており、従って、ヒンジ部３の幅方向両側となる一方の挟持片１のボス部１ａがフック部３０ｂに係止することによって、クリップ１０のヒンジ部３をフック部３０ｂで係止していることになる。この構成によれば、クリップ１０の化粧面１ｊ側の挟持片１をクリップケース３０内に収納した状態のままで携帯物品２０側の挟持片２を１８０度まで開放させることができ、これによって、クリップケース３０を図１６に示すように、水平面５０に取り付けて使用する場合、携帯物品２０を垂直状態に起立させた状態で収納保持させることができて便利である。
【００４５】
前記収納部３０ａは、図１４及び図１５に示すように、開閉可能なカバー４０で被覆されている。このカバー４０は、クリップケース３０に上面から嵌合される。そのため、カバー４０は、クリップケース３０よりも若干大きい開口部を有する浅底の略長方形箱状をなし、内周面周囲に段部４１を有しており、印籠嵌め方式でクリップケース３０に嵌合される。そして、カバー４０の長手方向両側面中央部には、開閉操作を容易にするための切欠部４２が形成されており、カバー４０の開閉時、この切欠部４２によりクリップケース３０の側面を把持し易くしている。この構成によれば、クリップケース３０に収納されたクリップ１０やスライド式ホルダー９’がカバー４０によって保護されるため、携帯物品２０の付属部品として流通・販売・取引される過程での脱落を防止することができる。なお、カバー４０は、透明乃至半透明樹脂で構成することにより、クリップケース３０内のクリップ１０を外部から目視することができる。
【００４６】
図１１（Ａ）（Ｄ）において、滑り止め部材７は、挟持片２に形成された溝２ｉ内に嵌め込まれ、接着剤で接着されているが、この接着剤は両面接着型の接着シートや粘着シートとしてもよい。また、滑り止め部材７は、挟持片２に設けた磁気吸着部材５の環状突部２ｂの周囲を取り巻くように配置してあり、しかも、高さ（厚み方向寸法）を磁気吸着部材５よりも若干高くして、クリップ１０の閉鎖時の衝突音を小さくし、衝撃も緩和させるようにしている。また、挟持片２には、スライド式ホルダー９’の溝側部材９ｅのスライド方向挿入端を規制するためのストッパー突起２ｊが形成してある。
【００４７】
本発明の実施形態は以上からなるが、本発明は、この実施形態にのみ制約されるものではなく、特許請求の範囲に記載した意味と範囲内において自由に変形して実施することができる。例えば、スライド式ホルダー９’は、長い携帯電話機もあるため、対象とする携帯物品２０の長さに応じて異なる長さのものを複数種類用意し、或いは、始めから長くしたものに適当な長さの位置に２〜３カ所折り目を入れておき、対象とする携帯物品２０の長さに応じて適当な折り目から折って使用するようにしてもよい。
【図面の簡単な説明】
【００４８】
【図１】（Ａ）は本発明に係るクリップの第１実施形態の側面図、（Ｂ）はその縦断側面図である。
【図２】（Ａ）（Ｂ）は図１のクリップの開放端側とヒンジ端側との端面図である。
【図３】図１のクリップで被挟持物を挟持した状態の側面図である。
【図４】（Ａ）（Ｂ）（Ｃ）は、図１のクリップの携帯物品への取付例及び使用例である。
【図５】（Ａ）は図１のクリップを携帯物品にホルダーを介して取り付けた場合の概略構成を示す説明用断面図、（Ｂ）（Ｃ）はホルダーの別の断面形状例を示している。
【図６】本発明のクリップの別の実施形態の側面図である。
【図７】図１のクリップの使用状態例である。
【図８】（Ａ）（Ｂ）は図１のクリップのさらに別の使用状態例である。
【図９】（Ａ）は本発明のクリップをダブルクリップとした場合の側面図、（Ｂ）は自動車のルーフパネルに該ダブルクリップで釣り竿を挟持させた場合の概略側面図、（Ｃ）はダブルクリップの変形例の側面図、（Ｄ）は本発明のシングルクリップの外観形状の一例を示す斜視図、（Ｅ）は本発明のシングルクリップのスキマ形状の別例を示す側面図である。
【図１０】（Ａ）は本発明の第２実施形態に係るクリップの９０度開放状態の斜視図、（Ｂ）は同クリップの２７０度開放状態の概略側面図である。
【図１１】（Ａ）は本発明の第２実施形態に係るクリップの１８０度開放状態の内側から見た正面図、（Ｂ）は外側から見た正面図、（Ｃ）は側面図、（Ｄ）は（Ａ）のＸ−Ｘ断面図である。
【図１２】（Ａ）は本発明の第２実施形態に係るクリップに好適なスライド式ホルダーの概略斜視図、（Ｂ）はその長辺方向に沿う中央断面図、（Ｃ）は短辺方向から見た端面図である。
【図１３】（Ａ）（Ｂ）（Ｃ）は本発明に係るクリップケースの平面図、側面図、底面図である。
【図１４】（Ａ）はカバーの斜視図、（Ｂ）はクリップケースの斜視図である。
【図１５】クリップケースにクリップを収納しカバーで被覆した状態の一部破断側面図である。
【図１６】クリップケースに収納したクリップの使用形態の一例を示す概略側面図である。
【符号の説明】
【００４９】
１    第１の挟持片
２    第２の挟持片
３    ヒンジ部
４，５    対の磁気吸着部材
６    スキマ
７    滑り止め部材
８、８ａ、８ｂ、８ｃ、８ｄ、８ｅ    被挟持物
９    ホルダー（スライド式ホルダー）
１０    本発明のクリップ
１１    第３の挟持片
１２    第２のヒンジ部
１３，１４    別の対の磁気吸着部材
２０    携帯物品
３０    クリップケース
４０    カバー
【図１】
2006095261.tif 000003
【図２】
2006095261.tif 000004
【図３】
2006095261.tif 000005
【図４】
2006095261.tif 000006
【図５】
2006095261.tif 000007
【図６】
2006095261.tif 000008
【図７】
2006095261.tif 000009
【図８】
2006095261.tif 000010
【図９】
2006095261.tif 000011
【図１０】
2006095261.tif 000012
【図１１】
2006095261.tif 000013
【図１２】
2006095261.tif 000014
【図１３】
2006095261.tif 000015
【図１４】
2006095261.tif 000016
【図１５】
2006095261.tif 000017
【図１６】
2006095261.tif 000018